(57)【要約】      （修正有）【課題】ユーザーが意図しない温度上昇を非接触で認識し、火傷等の障害を防止できる携帯端末を提供する。また、ユーザーが意図した温度上昇であっても、非接触で危険予知できる携帯端末を提供する。【解決手段】携帯端末の表示部２、３、操作部４を除く筐体１全体に示温材料が練り込まれた樹脂材料を含ませる。示温材料により携帯端末の筐体１の色彩が変化するため、ユーザーは携帯端末が高温であることを目視により非接触で認識することができる。【選択図】図１
2011010125.tif 000002
【特許請求の範囲】
【請求項１】
示温材料が練り込まれた樹脂材料を含む筐体を備える携帯端末。
【請求項２】
前記筐体の複数面が、前記示温材料が練り込まれた樹脂材料を含む請求項１に記載の携帯端末。
【請求項３】
示温材料が練り込まれた樹脂材料を含む加飾部品を備える携帯端末。
【請求項４】
示温材料が練り込まれた樹脂材料を含む機能性部品を備える携帯端末。
【発明の詳細な説明】
【技術分野】
【０００１】
本発明は、ユーザーが意図しない温度上昇を非接触で認識し、火傷等の障害を防止できる携帯端末に関する。
【背景技術】
【０００２】
携帯電話機等の携帯端末は、筐体材料として樹脂材料が一般的に用いられている。携帯端末を高温環境下に放置すると、触れることにより火傷をする程の高温状態となる場合があり、ユーザーが意識せずにそれを触ると火傷をすることがある。
【０００３】
また、近年の携帯端末においては筐体の表面に金属材料を一部又は全面にコーティングすることが増えてきており、金属材料のコーティング部分についてはコーティングされていない樹脂材料部分と比較して熱伝導性が高い。そのため、高温になった携帯端末に触れることによる火傷等の障害をユーザーに与える可能性が高まっており、非接触で温度認識が可能な携帯端末が望まれる。
【０００４】
これまでに、示温機能を有する携帯端末としては、装飾性の付与を目的として、携帯電話の外表面に可逆熱変性顔料がバインダー樹脂を介して分散状態で固着された可逆感温変色層を設けた可逆感温変色性携帯電話が開示されている（特許文献１）。
【０００５】
また、示温機能による高温状態の注意喚起としては、発熱可能性のある内蔵されるＩＣチップと対応する表面部位に感温液晶を含む部分を設け、ＩＣチップの発熱を視覚的に捉えることのできる携帯可能情報処理媒体が開示されている（特許文献２）。
【先行技術文献】
【特許文献】
【０００６】
【特許文献１】特開２００２−６４６０３号公報
【特許文献２】特開２００８−４６７７２号公報
【発明の概要】
【発明が解決しようとする課題】
【０００７】
本発明は、ユーザーが意図しない温度上昇を非接触で認識し、火傷等の障害を防止できる携帯端末を提供することを目的とする。また、ユーザーが意図した温度上昇であっても、非接触で危険予知できる携帯端末を提供することを目的とする。
【課題を解決するための手段】
【０００８】
本発明に係る携帯端末は、示温材料が練り込まれた樹脂材料を含む筐体を備えることを特徴とする。
【０００９】
また、前記筐体の複数面が、前記示温材料が練り込まれた樹脂材料を含むことを特徴とする。
【００１０】
本発明に係る携帯端末は、示温材料が練り込まれた樹脂材料を含む加飾部品を備えることを特徴とする。
【００１１】
本発明に係る携帯端末は、示温材料が練り込まれた樹脂材料を含む機能性部品を備えることを特徴とする。
【発明の効果】
【００１２】
本発明によれば、ユーザーが意図しない温度上昇を非接触で認識し、火傷等の障害を防止できる携帯端末を提供できる。また、ユーザーが意図した温度上昇であっても、非接触で危険予知できる携帯端末を提供できる。
【図面の簡単な説明】
【００１３】
【図１】本発明に係る携帯端末の一例の、開いた状態及び閉じた状態を示した斜視図である。
【発明を実施するための形態】
【００１４】
本発明に係る携帯端末は、示温材料が練り込まれた樹脂材料を含む筐体を備える。筐体を構成する樹脂材料に直接示温材料を練り込むことにより、他の工法（塗装など）に対し容易に適用可能であり、追加作業やコストが発生しない。
【００１５】
前記樹脂材料としては特に限定されず、通常の携帯端末に用いられる樹脂材料を用いることができる。
【００１６】
前記示温材料としては、所望の温度前後において色彩が変化する示温材料であって、前記樹脂材料に練り込むことが可能な示温材料であれば特に限定されない。
【００１７】
示温材料により携帯端末の筐体の色彩が変化する温度としては、注意喚起を行う温度によって適宜選択することができる。例えば、携帯端末を夏場の車中等の高温環境下に放置した場合、携帯端末は接触により火傷を負う８０℃以上となる場合がある。この状況下において、８０℃前後で色彩が変化する示温材料を用いた場合には、携帯端末の筐体の色彩が変化するため、ユーザーは携帯端末が８０℃以上であることを目視により認識することができる。
【００１８】
前記樹脂材料に練り込む示温材料の量としては、用いる樹脂材料、示温材料の種類にもよるが、示温材料の色彩が変化した際に色彩の変化を認識することができ、かつ、筐体の強度が十分保持される量であれば特に限定されない。
【００１９】
また、本発明においては、前記携帯端末の筐体の複数面が、前記示温材料が練り込まれた樹脂材料を含むことが、ユーザーがどの面側から携帯端末を観察した場合にも、色彩の変化が認識できる観点から好ましい。筐体に組み込まれた操作部や表示部を除く携帯端末の筐体の全体が、前記示温材料が練り込まれた樹脂材料を含むことがより好ましい。
【００２０】
また、前記筐体の表面が金属材料で一部コーティングがなされていてもよい。筐体表面の全面が金属材料でコーティングされると、示温材料による色彩の変化をユーザーが認識できないため、少なくとも一部に非コーティング部を設ける。これにより、熱伝導性の高い金属材料で表面がコーティングされている携帯端末においても、温度変化による非コーティング部の示温材料の色彩変化により、ユーザーは携帯端末が高温であることを非接触で認識することができる。
【００２１】
また、筐体以外でも、加飾部品や機能性部品等の樹脂材料を含む部品に示温材料を練りこむことによっても、高温状態を色彩の変化により認識することができる。
【００２２】
本発明に係る携帯端末は、示温材料が練り込まれた樹脂材料を含む筐体を備えるが、これ以外にも携帯端末の高温状態を示温機能により非接触で認識可能とする手段として、以下の手段が挙げられる。
（１）携帯端末のレシーバー側前面にあるＭａｉｎ表示に設置しているＳｃｒｅｅｎ周囲に示温材料を含む塗料を印刷する。
（２）Ｍａｉｎ表示に設置しているＳｃｒｅｅｎ背面に示温インクを印刷する。
（３）携帯端末のレシーバー側背面にあるＳＵＢ表示に設置しているＳｃｒｅｅｎ周囲に示温材料を含む塗料を印刷する。
（４）携帯端末にインジケーターとしてレンズの様な構造を設置し、そのレンズ自体に示温材料を用いる。また、レンズ底面に示温材料を含む塗料を印刷する又は示温材料が印刷されたものを設置する。
【実施例】
【００２３】
以下に本発明に係る実施例を示すが、本発明はこれに限定されない。
【００２４】
図１に本発明に係る携帯端末の一例を示す。図１に示す携帯端末は、表示部２、３、操作部４を除く筐体１全体が、示温材料が練り込まれた樹脂材料を含む。本実施例では、示温材料として８０℃前後で色彩が変化する示温材料を用いた。本実施例に係る携帯端末が火傷（８０℃）をする程度の高温状態になった際には、携帯端末の筐体１の色彩が変化するため、ユーザーは非接触で携帯端末が高温であることを認識でき、接触による火傷を未然に防ぐことができる。
【符号の説明】
【００２５】
１    筐体
２    表示部（Ｍａｉｎ表示）
３    表示部（ＳＵＢ表示）
４    操作部
【図１】
2011010125.tif 000003